(57)【要約】【課題】遊戯者の技量にかかわらず遊戯性を高めることが可能な叩き付け玩具を提供する。【解決手段】叩き付け玩具１は、設置面２ａが設けられた本体部材２を備え、設置面２ａに一つ又は二つの凸部３が形成されており、凸部３は、いずれも、本体部材３の重心Ｇから設置面２ａに下ろした垂線の設置面２ａとの交点Ｏを外れて設けられており、本体部材２は、設置面２ａの縁部の一部が接地し、縁部の一部が浮いて配置される。【選択図】図１
2015188728.tif 000002
【特許請求の範囲】
【請求項１】
設置面が設けられた本体部材を備え、
前記本体部材は、前記設置面の縁部の一部が接地し、該縁部の一部が浮いて配置される叩き付け玩具。
【請求項２】
請求項１記載の叩き付け玩具であって、
前記設置面に一つ又は二つの凸部が形成されており、
前記凸部は、いずれも、前記本体部材の重心から前記設置面に下ろした垂線の該設置面との交点を外れて設けられている叩き付け玩具。
【請求項３】
請求項１記載の叩き付け玩具であって、
前記設置面の縁部の一部に段差状の凹部が形成されている叩き付け玩具。
【請求項４】
請求項１から３のいずれか一項記載の叩き付け玩具であって、
前記本体部材は、不透明である叩き付け玩具。
【請求項５】
請求項１から４のいずれか一項記載の叩き付け玩具であって、
前記本体部材は、該本体部材の厚み方向に重なり合う他の叩き付け玩具に着脱可能に結合される結合部を有する叩き付け玩具。
【請求項６】
請求項１から５のいずれか一項記載の叩き付け玩具であって、
前記本体部材に着脱可能に装着される交換部材をさらに備え、
前記交換部材には、該叩き付け玩具を用いた遊戯の進め方に関する特徴情報が記されている叩き付け玩具。
【発明の詳細な説明】
【技術分野】
【０００１】
本発明は、めんこ等の叩き付け玩具に関する。
【背景技術】
【０００２】
めんこを用いた遊戯では、遊戯者双方がめんこを地面に置き、相手方のめんこに自分のめんこを叩き付け、相手方のめんこを裏返せば勝ちとするのが一般的である。
【０００３】
特許文献１に記載されためんこは、円盤状を呈し、その中央部が下方に膨出して形成されており、膨出した中央部が地面に接するように配置されることにより、縁部が全周に亘って地面から浮いて配置され、容易に裏返るように構成されている。
【先行技術文献】
【特許文献】
【０００４】
【特許文献１】実用新案登録第３１１８０５６号公報
【発明の概要】
【発明が解決しようとする課題】
【０００５】
特許文献１に記載されためんこは、容易に裏返るため、拙い技量の遊戯者に対しては遊戯性を高めることができるが、巧みな技量の遊戯者に対しては遊戯性を損なう虞がある。
【０００６】
本発明は、上述した事情に鑑みなされたものであり、遊戯者の技量にかかわらず遊戯性を高めることが可能な叩き付け玩具を提供することを目的としている。
【課題を解決するための手段】
【０００７】
本発明に係る叩き付け玩具は、設置面が設けられた本体部材を備え、前記本体部材は、前記設置面の縁部の一部が接地し、該縁部の一部が浮いて配置されることを特徴としている。
【０００８】
また、本発明に係る叩き付け玩具においては、前記設置面に一つ又は二つの凸部が形成されており、前記凸部は、いずれも、前記本体部材の重心から前記設置面に下ろした垂線の該設置面との交点を外れて設けられていてもよい。
【０００９】
また、本発明に係る叩き付け玩具においては、前記設置面の縁部の一部に段差状の凹部が形成されていてもよい。
【００１０】
また、本発明に係る叩き付け玩具においては、前記本体部材が不透明であってもよい。
【００１１】
また、本発明に係る叩き付け玩具においては、前記本体部材は、該本体部材の厚み方向に重なり合う他の叩き付け玩具に着脱可能に結合される結合部を有していてもよい。
【００１２】
また、本発明に係る叩き付け玩具においては、前記本体部材に着脱可能に装着される交換部材をさらに備え、前記交換部材には、該叩き付け玩具を用いた遊戯の進め方に関する特徴情報が記されていてもよい。
【発明の効果】
【００１３】
本発明によれば、遊戯者の技量にかかわらず遊戯性を高めることが可能な叩き付け玩具を提供することができる。
【図面の簡単な説明】
【００１４】
【図１】本発明の実施形態を説明するための、叩き付け玩具の一例の構成を示す図である。
【図２】図１の叩き付け玩具が地面に置かれた状態を示す。
【図３】本発明の実施形態を説明するための、叩き付け玩具の他の例の構成を示す図である。
【図４】本発明の実施形態を説明するための、叩き付け玩具の他の例の構成を示す図である。
【図５】図４の叩き付け玩具が結合用叩き付け玩具と結合された状態を示す図である。
【図６】図４の叩き付け玩具の変形例の構成を示す図である。
【図７】図６の叩き付け玩具が結合用叩き付け玩具と結合される過程を示す図である。
【発明を実施するための形態】
【００１５】
図１は、本発明の実施形態を説明するための叩き付け玩具の一例の構成を示し、図２は図１の叩き付け玩具が地面に置かれた状態を示す。
【００１６】
叩き付け玩具１は、盤状の本体部材２を備えている。なお、本体部材２は、図示の例では平面視で円形状に形成されているが、その形状は特に限定されない。例えば、三角形状や四角形状等の多角形状であってもよい。
【００１７】
本体部材２の一方の面は設置面２ａとされており、本体部材２は、設置面２ａの縁部の一部が接地し、縁部の一部が浮いて配置されるよう構成されている。図示の例では、設置面２ａに二つの凸部３が形成されており、凸部３は、いずれも、本体部材２の重心Ｇから設置面２ａに下ろした垂線の設置面２ａとの交点Ｏを外れて設けられている。
【００１８】
以上のように構成された叩き付け玩具１は、設置面２ａが地面に向くように置かれた場合に、二つの凸部３を接地させ、二つの凸部３の突端同士を結ぶ線分を支軸にして傾いた状態に配置される。それにより、叩き付け玩具１は、設置面２ａの縁部の一部が接地し、縁部の一部が浮いて配置される。このように配置された叩き付け玩具１は、設置面２ａの縁部が地面から浮いている箇所を叩かれることによって容易に裏返る。
【００１９】
そこで、拙い技量の遊戯者にあっては、設置面２ａの縁部が地面から浮いている箇所を期せずして叩くことで叩き付け玩具１を裏返すことができる。また、巧みな技量の遊戯者にあっては、設置面２ａの縁部が地面から浮いている箇所を狙って叩くことで叩き付け玩具１を裏返すことができる。よって、叩き付け玩具１によれば、遊戯者の技量にかかわらず遊戯性を高めることが可能となる。
【００２０】
なお、凸部３は一つであってもよく、この場合に、本体部材２は、凸部３を接地させ、凸部３の突端を支点にして傾いた状態に配置され、それにより、設置面２ａの縁部の一部が接地し、縁部の一部が浮いて配置される。
【００２１】
本体部材２は、不透明な材料によって形成されることが好ましい。それによれば、設置面２ａの縁部が地面に接地している箇所と設置面２ａの縁部が地面から浮いている箇所との判別がつき難くなり、叩き付け玩具１の弱点を隠すことができる。
【００２２】
また、本体部材２は、例えばエラストマーなどの可撓性及び柔軟性を有する材料によって形成されることが好ましい。それによれば、叩き付けによる本体部材２の破損や過大な衝撃音の発生を防止ないし抑制することができる。
【００２３】
図３は、本発明の実施形態を説明するための叩き付け玩具の他の例の構成を示す。
【００２４】
図３に示す叩き付け玩具１１は、盤状の本体部材１２の設置面１２ａの縁部の一部に段差状の凹部１３が形成されている。叩き付け玩具１１は、設置面１２ａが地面に向くように置かれた場合に、凹部１３が形成されていない縁部が地面に接地し、凹部１３が形成されている縁部が浮いて配置され、上述した叩き付け玩具１と同様の効果を奏する。なお、凹部１３は、設置面１２ａの縁部に複数形成されていてもよい。また、凹部の形状は本実施の形態の形状に限られることはなく、例えば本体部材の接地面に、本体部材の中心から縁部に向かって下方になだらかに傾斜する傾斜面を設けるようにしてもよい。これにより、本体部材の接地面を地面に載置した際に、傾斜した縁部は浮いて配置され、傾斜していない縁部は地面に接地するように配置させることができる。
【００２５】
図４は、本発明の実施形態を説明するための叩き付け玩具の他の例の構成を示す。
【００２６】
図４に示す叩き付け玩具２１は、盤状の本体部材２２と、本体部材２２の装着部２４に着脱可能に装着される交換部材２５とを備える。本体部材２２の設置面２２ａには、上述した叩き付け玩具１と同様に、二つの凸部２３が形成されている。
【００２７】
装着部２４は、本体部材２２の略中央部に設けられており、交換部材２５が嵌まり込む収容孔２６と、収容孔２６に収容された交換部材２５の縁部を保持する複数の保持片２７とを含んで構成されている。本体部材２２が撓められた状態で交換部材２５の縁部が一部の保持片２７の間に挟み込まれ、その後に撓められた本体部材２２が元に戻されて交換部材２５の縁部が全ての保持片２７の間に挟み込まれることにより、交換部材２５は装着部２４に装着される。
【００２８】
本体部材２２は、例えばエラストマーなどの可撓性及び柔軟性を有する材料によって形成されることが好ましい。それによれば、叩き付けによる本体部材２２の破損や過大な衝撃音の発生を防止ないし抑制するとともに、本体部材２２に対する交換部材２５の着脱が容易となる。
【００２９】
交換部材２５の一方の面には、叩き付け玩具２１を用いた遊戯の進め方に関する特徴情報Ｉが記されている。以下に、叩き付け玩具２１を用いた遊戯方法の一例を説明する。
【００３０】
遊戯者双方が、所定数の叩き付け玩具２１を地面に置く。これらの叩き付け玩具２１の装着部２４には、特徴情報Ｉが記された面が地面に向くように交換部材２５が装着されており、特徴情報Ｉは相手方には伏せられる。
【００３１】
遊戯者双方は、交互に、地面に置かれた相手方の叩き付け玩具２１に向けて自己の攻撃用の叩き付け玩具２１を叩き付ける。そして、地面に置かれた相手方の叩き付け玩具２１の全てを先に裏返した遊戯者を勝ちとする。
【００３２】
地面に置かれた叩き付け玩具２１が裏返されると、裏返された叩き付け玩具２１に装着された交換部材２５の特徴情報Ｉが顕となり、遊戯者双方は、その特徴情報Ｉに従って遊戯を進める。
【００３３】
特徴情報Ｉとしては、「相手方に裏返された自己の叩き付け玩具のいずれか一つを元に戻す」、「相手方の叩き付け玩具のいずれか一つを裏返す」、「自己の攻撃用の叩き付け玩具を２枚重ねにする」といったものを例示することができる。
【００３４】
特徴情報Ｉの一例としての「自己の攻撃用の叩き付け玩具を２枚重ねにする」にあるように、叩き付け玩具２１は結合用叩き付け玩具３１と結合可能に構成されている。
【００３５】
結合用叩き付け玩具３１は、叩き付け玩具２１の本体部材２２と同様に円盤状に形成されている。そして、結合用叩き付け玩具３１の一方の面３１ａには、結合用叩き付け玩具３１の中心軸まわりの円周上に所定の間隔をあけて複数の係合爪３２が設けられている。
【００３６】
また、結合用叩き付け玩具３１には、複数の係合爪３２が設けられた円周と同じ円周上に上記所定の間隔をあけて複数の係合孔３３が設けられている。これらの係合孔３３は、結合用叩き付け玩具３１の厚み方向に結合用叩き付け玩具３１を貫通して形成されており、係合孔３３の内部には、他の結合用叩き付け玩具３１の係合爪３２が係合可能な段差部３３ａが設けられている。
【００３７】
叩き付け玩具２１の本体部材２２には、結合部としての複数の係合孔２８が設けられている。複数の係合孔２８は、本体部材２２の中心軸まわりの円周上に上記所定の間隔をあけて設けられている。これらの係合孔２８は、本体部材２２の厚み方向に本体部材２２を貫通して形成されており、係合孔２８の内部には、係合爪３２が係合可能な段差部２８ａが設けられている。
【００３８】
図５は、叩き付け玩具２１が結合用叩き付け玩具３１と結合された状態を示す。
【００３９】
叩き付け玩具２１の本体部材２２に結合用叩き付け玩具３１が重ねられ、叩き付け玩具２１及び結合用叩き付け玩具３１の各々の厚み方向の相対移動に伴い、結合用叩き付け玩具３１の係合爪３２が、弾性的に撓みながら本体部材２２の係合孔２８に進入し、係合孔２８の内部の段差部２８ａに係合する。それにより叩き付け玩具２１と結合用叩き付け玩具３１とが互いに結合される。
【００４０】
互いに結合された叩き付け玩具２１と結合用叩き付け玩具３１とを互いに分離させるには、例えば一方又は双方を撓ませて、係合爪３２と係合孔２８の内部の段差部２８ａとの係合を解除すればよい。
【００４１】
なお、図示の例では叩き付け玩具２１に一枚の結合用叩き付け玩具３１が結合されているが、結合用叩き付け玩具３１の上にさらに他の結合用叩き付け玩具３１を順に重ね、隣り合う結合用叩き付け玩具３１の係合爪３２と係合孔３３の段差部３３ａとを係合させることにより、複数枚の結合用叩き付け玩具３１を叩き付け玩具２１に結合させることもできる。
【００４２】
このように、叩き付け玩具２１は、結合用叩き付け玩具３１と着脱可能に結合される。そこで、遊戯者は、叩き付け玩具２１に対する結合用叩き付け玩具３１の結合枚数を増減させることによって叩き付け玩具２１の重さを容易に変更でき、例えば叩き付け玩具２１を重くして攻撃力を高めることができる。
【００４３】
また、結合用叩き付け玩具３１の係合爪３２は、叩き付け玩具２１の係合孔２８の内部において段差部２８ａに係合している。それにより、叩き付け玩具２１と結合用叩き付け玩具３１との係合箇所が外部に露出せず、係合箇所に外力が直接作用しないので、叩き付け玩具２１と結合用叩き付け玩具３１との結合が不用意に解除されることが防止される。
【００４４】
図６は、上述した叩き付け玩具２１の変形例の構成を示す。
【００４５】
図６に示す叩き付け玩具２１において、本体部材２２には、係合孔２８の各々に連なって円周方向に延びる複数の挿入孔２９が設けられている。
【００４６】
図７は、図６に示す叩き付け玩具２１が結合用叩き付け玩具３１と結合される過程を示す。
【００４７】
叩き付け玩具２１の本体部材２２に結合用叩き付け玩具３１が重ねられ、結合用叩き付け玩具３１の係合爪３２が、本体部材２２の挿入孔２９に進入し、挿入孔２９に収容される。
【００４８】
そして、結合用叩き付け玩具３１が、本体部材２２の厚み方向と交差する方向である本体部材２２の中心軸まわりの円周方向Ａに相対回転されると、結合用叩き付け玩具３１の係合爪３２は、本体部材２２の挿入孔２９に連なる係合孔２８に移動され、係合孔２８の内部の段差部２８ａに係合する。それにより、叩き付け玩具２１と結合用叩き付け玩具３１とが互いに結合される。
【００４９】
互いに結合された叩き付け玩具２１と結合用叩き付け玩具３１とを互いに分離させるには、上記円周方向Ａとは反対の円周方向に結合用叩き付け玩具３１を相対回転させ、係合爪３２と係合孔２８の内部の段差部２８ａとの係合を解除すればよい。
【００５０】
互いに結合された叩き付け玩具２１及び結合用叩き付け玩具３１が地面に向けて叩き付けられた際に、これらの叩き付け玩具２１，３１には、典型的には本体部材２２の厚み方向に外力が作用するが、上述のとおり、これらの叩き付け玩具２１，３１は本体部材２２の厚み方向と交差する方向へスライドされることによって互いに結合・分離されるので、これらの叩き付け玩具２１，３１の結合が不用意に解除されることが防止される。
【符号の説明】
【００５１】
１     叩き付け玩具
２     本体部材
２ａ   設置面
３     凸部
１１   叩き付け玩具
１２   本体部材
１２ａ 設置面
１３   凹部
２１   叩き付け玩具
２２   本体部材
２２ａ 設置面
２３   凸部
２５   交換部材
２８   係合孔（結合部）
３１   結合用叩き付け玩具
Ｇ     重心
Ｏ     交点
【図１】
2015188728.tif 000003
【図２】
2015188728.tif 000004
【図３】
2015188728.tif 000005
【図４】
2015188728.tif 000006
【図５】
2015188728.tif 000007
【図６】
2015188728.tif 000008
【図７】
2015188728.tif 000009